(57)【要約】【課題】管制官に対しターゲット情報を隠蔽することなく表示し、また膨大な情報の中から優先度の高い情報を管制官が選択的に効率よく把握することを可能にする。【解決手段】表示制御装置1は表示部１１と入力制御操作部１２と更新検出部１３とを含む。表示部１１は、表示画面を、予め設定された画面レイアウトに基づきメイン領域とサブ領域に分割し、メイン領域にはターゲット情報を表示するメインウインドウを、サブ領域には例えば５つのサブウイドウを、１つのウインドウを平面２次元ウインドウとし、他の４つのウインドウを積重ね３次元ウインドウとして出力装置３に表示する。【選択図】図１
2010102432.tif 000002
【特許請求の範囲】
【請求項１】
航空管制システムのレーダ表示画面表示制御方法において、表示画面をメイン領域とサブ領域とに分割し、前記メイン領域にはメインウインドウを、前記サブ領域には平面２次元ウインドウおよび積重ね３次元ウインドウを含むサブウインドウを表示し、前記メインウインドウにターゲット情報を、前記サブウインドウには各種情報を表示することを特徴とする、航空管制システムのレーダ表示画面表示制御方法。
【請求項２】
管制官の、前記平面２次元ウインドウの数、前記積重ね３次元ウインドウの数、前記積重ね３次元ウインドウの表示順序の少なくとも１つの変更操作に基づき画面を変更する、請求項１に記載の方法。
【請求項３】
前記サブウインドウの更新情報にブリンク情報を付加した更新データを作成し、当該ウインドウに前記更新情報を表示するとともに当該ウインドウを規定回数ブリンクする、請求項１または２に記載の方法。
【請求項４】
前記サブウインドウの数、前記平面２次元ウインドウの数、および前記積重ね３次元ウインドウ数を、管制官が任意に設定可能なパラメータとして保持する、請求項１から３のいずれか１項に記載の方法。
【請求項５】
航空管制システムのレーダ表示画面表示制御装置において、
画面を、予め設定された画面レイアウトに基づきメイン領域とサブ領域に分割し、前記メイン領域にはメインウインドウを、前記サブ領域には平面２次元ウインドウと積重ね３次元ウインドウを含むサブウインドウを表示し、外部装置から伝送されたターゲット情報を前記メインウインドウに、各種情報を前記サブウインドウに表示する表示部を有することを特徴とする、航空管制システムのレーダ表示画面表示制御装置。
【請求項６】
管制官の、前記平面２次元ウインドウの数、前記積重ね３次元ウインドウの数、前記積重ね３次元ウインドウの表示順序の少なくとも１つの変更操作に基づき画面を変更し、変更画面データを、前記表示部を経由して前記表示装置に表示する入力制御操作部をさらに有する、請求項５に記載の、航空管制システムのレーダ表示画面表示制御装置。
【請求項７】
前記サブウインドウの更新情報にブリンク情報を付加した更新データを作成し、作成された更新データを、前記表示部を経由し、当該ウインドウを規定回数ブリンクして当該サブウインドウに表示する更新検出部をさらに有する、請求項５または６に記載の、航空管制システムのレーダ表示画面表示制御装置。
【請求項８】
前記平面２次元ウインドウの数、および前記積重ね３次元ウインドウ数を、管制官が任意に設定可能なパラメータとして保持する手段をさらに有する、請求項５から７のいずれか１項に記載の、航空管制システムのレーダ表示画面表示制御装置。
【請求項９】
航空管制システムのレーダ表示画面表示制御をコンピュータに行わせるプログラムであって、
ディスプレイをメイン領域とサブ領域とに分割し、前記メイン領域にはメインウインドウを、前記サブ領域には平面２次元ウインドウおよび積重ね３次元ウインドウを含むサブウインドウを表示する手順と、
前記メインウインドウにターゲット情報を、前記サブウインドウに各種情報を表示する手順と、
管制官の、前記平面２次元ウインドウの数、前記積重ね３次元ウインドウの数、前記積重ね３次元ウインドウの表示順序の少なくとも１つの変更操作に基づき画面を変更する手順と、
前記サブウインドウの更新情報にブリンク情報を付加した更新データを作成し、当該ウインドウに前記更新情報を表示するとともに当該ウインドウを規定回数ブリンクする手順と、
をコンピュータに実行させるための、航空管制システムのレーダ表示画面表示制御プログラム。
【発明の詳細な説明】
【技術分野】
【０００１】
本発明は、航空管制システムのレーダ表示画面表示制御方法および表示制御装置に関する。
【背景技術】
【０００２】
航空管制システムに使用されるレーダ表示装置は、表示制御装置、入出力装置、および表示装置等から構成され、接続された外部装置とのデータのやり取りにより、航空機のターゲットおよび管制に必要な各種情報を画面に表示する。
【０００３】
このようなレーダ表示装置では、1つの画面にレーダ画面および複数のウインドウを配置し、レーダ画面にはターゲット情報を、複数のウインドウには管制に必要な各種情報を表示する（例えば非特許文献１、特許文献１）。
【０００４】
図７の従来のレーダ表示画面例では、レーダ画面のターゲット表示ウインドウ３００に複数のターゲット情報３２０〜３２ｎを表示し、また航空機の出発・通過・到着および滑走路等の数多くの情報を表示する各種ウインドウ３１０〜３１４を重畳表示している。そのためターゲット情報が各種情報の影に隠れるという情報隠蔽が起こる可能性が想定される。また、各種情報は均一に全て画面上に表示されており、各種情報に対し明確に優先度をつけることが困難である。しかしながら各種情報は必ずしも全てを常時表示しなければならないわけではない。各種情報は、優先度に応じて確認頻度が異なり、常に詳細を把握する必要がある情報、常に詳細を把握する必要はないが、時々確認を必要とする情報、状況に応じて確認が必要な情報とに分けることができる。情報を効率よく把握する観点からは、管制官が状況に応じ必要な情報を選択的に表示することが必要である。
【０００５】
図７のレーダ表示画面からの派生として、図８に示す、各種情報ウインドウを別領域に並べて表示する画面表示例、図９に示す、各種情報ウインドウを別領域としウインドウに対応したボタンによりウインドウを表示する画面表示例が考えられる。しかしながら、図８の画面表示例では、ウインドウへ優先度を付加することが不可能であり、また各種情報ウインドウ内の情報は管制官が認識可能な大きさが必要なため、画面分解能により、表示するウインドウ数が制限されてしまう。図９の画面表示例においても同様にウインドウに優先度を付加することが不可能である。
【非特許文献１】青山  幹雄・猪塚  貞行・菅野  照美・斎藤  謙一郎  編著「航空とＩＴ技術」９３頁〜９４頁、共立出版株式会社  ２００１年３月２５日発行
【特許文献１】特開２００１−１６７４００号公報
【発明の開示】
【発明が解決しようとする課題】
【０００６】
上述した従来技術には以下のような問題点があった。
【０００７】
第1に、ターゲット情報が各種情報の影に隠れるという情報隠蔽起こる可能性が想定される。その理由は、レーダ画面および各種情報のウインドウを重畳表示しているためである。
【０００８】
第２に、膨大な情報の中から効率よく情報を把握すること困難で、管制官に負荷がかかる。その理由は、各種情報は均一に全て画面上に表示されており、各種情報に対し明確に優先度をつけることが困難なためである。
【０００９】
本発明の目的は、管制官に対しターゲット情報を隠蔽することなく表示し、また膨大な情報の中から優先度の高い情報を管制官が選択的に効率よく把握することを可能にする、航空管制システムのレーダ表示画面表示制御方法および表示制御装置を提供することにある。
【課題を解決するための手段】
【００１０】
本発明は、表示画面をメイン領域とサブ領域とに分割し、メイン領域にはメインウインドウを、サブ領域には平面２次元ウインドウおよび積重ね３次元ウインドウを含むサブウインドウを表示し、メインウインドウにターゲット情報を、サブウインドウには各種情報を表示する。ここで、平面２次元ウインドウとは平面で表示される一般的なウインドウであり、積重ね３次元ウインドウとは平面ウインドウの上部を擬似的に後方に傾け重ねたものである。
【発明の効果】
【００１１】
第１に、ターゲットデータの情報隠蔽をなくすことができる。この結果、レーダ情報の全てを把握することが可能となり、管制官の把握ミスを抑制することが可能となる。その理由は、画面をメインウインドウおよびサブウインドウに分割し、ターゲット情報を固有の画面表示としたためである。
【００１２】
第２に、管制官が状況に応じて各種の必要な情報を選択的に表示することができる。常に必要な情報を平面２次元ウインドウに、時々確認を必要とする情報を積重ね３次元ウインドウの最上部に表示することで管制官が常時確認することができる。また、状況に応じて確認が必要な情報を積重ね３次元ウインドウの最上部以降に表示することにより全ての情報に優先順位を付加することが可能となる。この結果、膨大な情報の中から効率のよく情報を把握することができ、管制官の負荷を軽減できる。その理由は、サブ領域の各種ウインドウを平面２次元ウインドウおよび積重ね３次元ウインドウを組み合わせて表示するためである。
【発明を実施するための最良の形態】
【００１３】
次に、本発明の実施の形態について図面を参照して説明する。
【００１４】
［第１の実施形態］
図１を参照すると、本発明の第１の実施形態の、航空管制システムのレーダ画面表示装置は、プログラム制御により動作する表示制御装置1と、マウス等の入力装置２と、ディスプレイ等の出力装置３とを含む。
【００１５】
表示制御装置1は表示部１１と入力制御操作部１２と更新検出部１３とを含む。
【００１６】
表示部１１は、表示画面を、予め設定された画面レイアウトに基づきメイン領域とサブ領域に分割し、メイン領域にはターゲット情報を表示するメインウインドウを、サブ領域には例えば５つのサブウイドウを、１つのウインドウを平面２次元ウインドウとし、他の４つのウインドウを積重ね３次元ウインドウとして出力装置３に表示する。また、表示部１１は、外部装置（不図示）から伝送されるターゲット情報４を出力装置３に表示する。
【００１７】
入力制御操作部１２は、管制官から入力装置２を使用して行なわれる、サブウインドウの平面２次元ウインドウと積重ね３次元ウインドウの変更操作、および積重ね３次元ウインドウの表示順序の変更操作に基づき、表示する画面を入れ替える制御を行う。変更された画面データは表示部１１を経由して表示装置３に表示される。
【００１８】
更新検出部１３は、外部装置から伝送された、管制に必要な更新情報６にブリンク情報を付与し、更新情報データを作成する。作成された更新情報データは表示部１１を経由し、当該ウインドウを更新し、当該ウインドウを規定回数ブリンクして出力装置３に表示される。
【００１９】
次に、本実施形態の動作を、図１、図２、および図３を参照して詳細に説明する。
【００２０】
まず、ＯＳおよびアプリケーションプログラムが起動されると、表示部１１は、表示画面２００のメイン領域２１０にメインウインドウ２２０を、表示画面２００のサブ領域２１１に予め設定された５つのサブウインドウ２２１〜２２５（うち１つ２２１は平面２次元ウインドウ、４つ２２２〜２２５は積重ね３次元ウインドウ）を表示する（ステップ１０１）。
【００２１】
次に、外部装置から伝送されたターゲットデータ４が表示部１１に入力され、表示部１１はメインウインドウ２２０にターゲットデータ４を表示する。なお、サブウインドウ２２１〜２２５に表示する各種情報５は更新検出部１３を経て表示部１１に供給され表示されるが、初期表示においてはブリンク情報を付与することなく表示される（ステップ１０２）
ここで、入力装置２による、管制官からのサブウインドウ操作もしくはサブウインドウに表示されている各種表示情報の更新が発生したかどうか判定する（ステップ１０３）。
【００２２】
管制官のサブウインドウ操作が行われた場合、入力制御操作部１２は操作データを作成し、表示部１１を経由し、出力装置３に表示する（ステップ１０４、１０５）。図３の表示画面レイアウトを例にとる。今、サブウインドウ２２１〜２２５には順に情報Ａ，Ｂ，Ｃ，Ｄ，Ｅ，Ｆが表示されているもの（これを初期表示Ｘとする）とする。ここで、管制官はサブウインドウ２２３の情報Ｃを１番上に表示する必要があったため、サブウインドウ２２３をクリックしたものとする。入力装置２を用いた管制官の入力により、入力制御操作部１２はサブウインドウ２２１と２２３を入れ替える操作データを作成する。作成された操作データを基に表示部１１によって、サブウインドウ２２１と２２３が入れ替えられた画面が表示される。この結果、図３の表示画面レイアウトのサブウインドウ２２１〜２２５には順に情報Ｃ，Ｂ，Ａ，Ｄ，Ｅが表示される。また、今、初期表示Ｘとし、ここで管制官は優先順位に基づいてサブウインドウ２２３の情報Ｃとサブウインドウ２２４の情報Ｄを入れ替える必要があったため、サブウインドウ２２３をサブウインドウ２２４と２２５の間にドラック＆ドロップしたものとする。入力制御操作部１２はサブウインドウ２２３をサブウインドウ２２４と２２５の間に挿入する操作データを作成し、以下同様にして出力装置３に表示する。この結果、図３の表示画面レイアウトのサブウインドウ２２１〜２２５には順に情報Ａ，Ｂ，Ｄ，Ｃ，Ｅが表示される。
【００２３】
また、外部装置からサブウインドウ２２１〜２２５の更新情報６が伝送された場合、更新検出部１３は更新情報６にブリンク情報を付与した更新データを作成し、表示部１１を経由し、当該ウインドウを更新し、規定回数ブリンクしたものが出力装置３に表示される（ステップ１０６、１０７）。図３の表示画面レイアウトを例にとる。今、初期表示Ｘとし、外部装置から情報Ｃの更新情報℃´が伝送されたものとする。更新検出部１３は更新情報Ｃ´にブリンク情報を付与し、更新データを作成する。作成された更新データを基に表示部１１によって、サブウインドウ２２３に情報Ｃ´が、ウインドウが規定回数ブリンクして表示される。
【００２４】
最後に、管制官の終了要求が行われた場合（ステップ１０８）、ＯＳおよびアプリケーションプログラムは動作を停止する。
【００２５】
［第２の実施形態］
図４を参照すると、本実施形態の航空管制システムのレーダ画面表示制御装置1は、表示レイアウトパラメータ１４をさらに有する点で、図１に示された第１の実施形態の表示制御装置と異なる。
【００２６】
第１の実施形態では、サブウインドウ数、サブウインドウの平面２次元ウインドウ数と積み重ね３次元ウインドウ数は予め設定され、該設定に基づいて画面レイアウトが構成されていた。本実施形態では、表示レイアウトパラメータ１４はサブウインドウの数と、サブウインドウの平面２次元ウインドウの数と、積重ね３次元ウインドウの数をパラメータとして保持し、ＯＳおよびアプリケーション起動時、表示画面レイアウトに反映される。
【００２７】
次に、本実施例の動作を、図４、図５、図６を参照して詳細に説明する。
【００２８】
表示制御装置1のＯＳおよびアプリケーションの起動前に、表示レイアウトパラメータ１４が保持している、サブウインドウ数と、サブウインドウの平面２次元ウインドウ数と、積重ね３次元ウインドウ数を、管制官が任意に変更する（ステップ１１０）。表示制御装置１のＯＳおよびアプリケーション起動時、表示部１１は表示レイアウトパラメータ１４を読み込む（ステップ１０９）。表示部１１は読み込まれたパラメータに基づいて画面表示レイアウトを作成する（ステップ１０１）。以降、第１の実施形態と同じ処理が行われる（ステップ１０２〜１０９）。
【００２９】
次に、本実施形態の動作を、表示画面レイアウトを用いて説明する。表示レイアウトパラメータ１４のサブウインドウ数をｎ、サブウインドウの平面２次元表示ウインドウ数を２、積重ね３次元ウインドウ数をｎ-２とする。この表示レイアウトパラメータ１４を用いて、ステップ１０９、１０１〜１０８によって出力装置３に表示される表示画面レイアウトは図６のようになる。
【００３０】
本実施形態では、表示レイアウトパラメータ１４により、サブウインドウ数、サブウインドウの平面２次元ウインドウ数、および積重ね３次元ウインドウ数が変更される。このため管制席、ひいては空港による必要情報量に応じて管制官がサブウインドウ数、サブウインドウの平面２次元ウインドウ数、および積重ね３次元ウインドウ数任意に変更することができる。この結果、用途もしくは場所等にとらわれることのない可搬性および拡張性をもったレーダ表示を管制官に提供できる。
【００３１】
なお、表示制御装置１の機能は、その機能を実現するためのプログラムを、コンピュータ読み取り可能な記録媒体に記録して、この記録媒体に記録されたプログラムをコンピュータに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間、動的にプログラムを保持するもの（伝送媒体もしくは伝送波）、その場合のサーバとなるコンピュータ内の揮発性メモリのように、一定時間プログラムを保持しているものを含む。
【産業上の利用可能性】
【００３２】
本発明は、航空管制の用途の他、道路交通管制や海上管制といった用途にも適用可能である。さらにテレビ会議等のディスプレイに複数画面表示するシステムにも適用可能である。
【図面の簡単な説明】
【００３３】
【図１】図１は本発明の第１の実施形態の航空管制システムの表示制御装置のブロック図である。
【図２】図２は図１の表示制御装置の動作を示すフローチャートである。
【図３】図３は第１の実施形態における表示画面レイアウト例を示す図である。
【図４】図４は本発明の第２の実施形態の航空管制システムの表示制御装置のブロック図である。
【図５】図５は図４の表示制御装置の動作を示すフローチャートである。
【図６】図６は第２の実施形態における表示画面レイアウト例を示す図である。
【図７】図７は従来のレーダ表示画例を示す図である。
【図８】図８は従来のレーダ表示画例を示す図である。
【図９】図９は従来のレーダ表示画例を示す図である。
【符号の説明】
【００３４】
１    表示制御装置
２    入力装置
３    出力装置
４    ターゲットデータ
５    各種情報
６    更新情報
１１  表示部
１２  入力制御操作部
１３  更新検出部
１４  表示レイアウトパラメータ
１０１〜１１０  ステップ
２００  表示画面
２１０  メイン領域
２１１  サブ領域
２２０  メインウインドウ
２２１〜２２５、２２ｎ  サブウインドウ
【図１】
2010102432.tif 000003
【図２】
2010102432.tif 000004
【図３】
2010102432.tif 000005
【図４】
2010102432.tif 000006
【図５】
2010102432.tif 000007
【図６】
2010102432.tif 000008
【図７】
2010102432.tif 000009
【図８】
2010102432.tif 000010
【図９】
2010102432.tif 000011